(57)【特許請求の範囲】
【請求項１】
機器筐体に設けられた開口を開閉する蓋本体と、
前記機器筐体と前記蓋本体との間に介装され、所要間隔で互いに平行する２つのヒンジ部が設けられたスライドヒンジと、
前記スライドヒンジの２つのヒンジ部に、前記蓋本体を開蓋方向に付勢するばね部材とを設け、
前記スライドヒンジを前記機器筐体と前記蓋本体の何れか一方側に、一方のヒンジ部において軸着すると共に他方側に他方のヒンジ部を摺動かつ回転可能に保持するヒンジホルダを形成し、
前記ばね部材は、前記スライドヒンジの２つのヒンジ部にそれぞれ対応するばね付勢部を有し、このばね付勢部間を連結することにより２つのばね付勢部が一体に形成されており、
前記蓋本体は前記機器筐体に対し、前記スライドヒンジの摺動による前記２つのヒンジ部における回転により２段階に回転され、反転状態で前記機器筐体の外面側に重なるように開蓋するようにした
ことを特徴とする電子機器用蓋開閉装置。
【請求項２】
請求項１に記載の電子機器用蓋開閉装置において、
前記ヒンジホルダに前記スライドヒンジがクリック状に係合される係合部を形成した
ことを特徴とする電子機器用蓋開閉装置。
【発明の詳細な説明】
【０００１】
【発明の属する技術分野】
本発明は、電子スチルカメラ、ビデオカメラ、テープレコーダ、ラジオ等の電子機器において、記録媒体や電池等の挿入物が着脱可能に挿入収納される収納部の開口を開閉する電子機器用蓋開閉装置に関する。
【０００２】
【従来の技術】
従来、一般に、電子機器用蓋開閉装置としては、例えば、図１５及び図１６に示すようなものが知られている。この図１５及び図１６は、電子機器の一例として示す電子スチルカメラの要部を現したものである。この電子スチルカメラ１の筐体は、互いに重ね合わされる前面パネル２と後面パネル３とを有し、両パネル２，３間には飾り枠４が介在されている。飾り枠４は後面パネル３に固定されている一方、前面パネル２と後面パネル３とはヒンジにより連結されて、開閉可能に構成されている。
【０００３】
この電子スチルカメラ１の後面パネル３には、電源用の電池が収納される電池ホルダ５の挿入口６を露出させるための開口部７が設けられている。この開口部７は、これに見合う形状を有する蓋本体８によって開閉自在とされている。この蓋本体８は、電池ホルダ５の側面に設けた軸受部５ａに一端が回動自在に支持されたアーム片９によってスライド可能に支持されている。このアーム片９の先部には、図に現れないストッパが設けられていて、このストッパによって蓋本体８の脱落が防止されている。そして、蓋本体８の先端部にはロック爪８ａが設けられており、このロック爪８ａを電池ホルダ５の側面に設けたロック穴５ｂに係合させることにより、蓋本体８で開口部７をぴったりと閉じた状態に塞ぐことができる。
【０００４】
かかる構成を有する電子機器用蓋装置の開閉動作は、次のようにして行うことができる。まず、開口部７を閉じた蓋本体８を、図１６において矢印Ａで示すように、筐体の側面と平行にスライドさせる。これにより、蓋体８のロック爪８ａが電池ホルダ５のロック穴５ｂから外れ、蓋本体８が開放可能な状態となる。次に、同図１６において矢印Ｂで示すように、軸受部５ａを中心にアーム片９を円弧状に回動させる。これにより、開口部７が開かれて蓋本体８が図１５に示すような状態に変化し、電池の挿入が可能となる。
【０００５】
【発明が解決しようとする課題】
このように、従来の蓋開閉装置、例えば電子機器において電源用の電池、記録媒体等の挿入物を挿入する開口部を開閉する蓋開閉装置は、蓋本体は筐体に対して９０°〜１１０°程しか開蓋されなかったため、開蓋方向に無理に力を加えると蓋本体、軸部等が破壊されるおそれがあり、また蓋本体は筐体に対して立上がった状態で開蓋されるので、他の物品に引掛り破損したり、挿入物の出し入れの支障になるおそれがあった。
【０００６】
このような不具合な点を回避するために、蓋本体または軸部をポリプロピレン（ＰＰ）等の柔らかい材料で作製することになるが、この場合は、筐体とは異なる外観となり、品質があちることになり、また、この蓋本体をステンレス等の板金で補強することができるが、この場合は、蓋本体と板金を固定するためにねじ締めすることになるので蓋の厚みが増し、筐体側への取り付けに支障を来すおそれがあり、また、板金、ねじ等の使用によりコスト高になるという課題がある。
【０００７】
本発明は、かかる点に鑑みな成されたもので、蓋本体を筐体に対して、反転状態で開蓋できる構成とすることにより、前記課題を解決することを目的としている。
【０００８】
【課題を解決するための手段】
前記目的を達成するために本発明による電子機器用蓋開閉装置は、機器筐体に設けられた開口を開閉する蓋本体と、機器筐体と蓋本体との間に介装され、所要間隔で互いに平行する２つのヒンジ部が設けられたスライドヒンジとを備え、このスライドヒンジを機器筐体と蓋本体の何れか一方側に一方のヒンジ部において軸着すると共に他方側に他方のヒンジ部を摺動かつ回転可能に保持するヒンジホルダを形成して成り、蓋本体は筐体に対し、スライドヒンジの摺動による２つのヒンジ部における回転により２段階的に回転され、反転状態で筐体の外面側に重なるように閉蓋する構成としたものである。
【０００９】
前記構成において、スライドヒンジの２つのヒンジ部に、蓋本体を開蓋方向に付勢するばね部材を配する構成としている。また、このばね部材は、スライドヒンジの２つのヒンジ部にそれぞれ対応するばね付勢部を有し、このばね付勢部間を一体に連結した構成としている。
【００１０】
さらに、本発明は、前記構成において、ヒンジホルダにスライドヒンジがクリック状に係合される係合部を形成した構成としている。
【００１１】
前記のように構成される本発明の電子機器用蓋開閉装置は、前記のように構成される蓋本体が筐体に対して反転状態で機器筐体の外面側に重なるように開蓋されることにより、機器筐体側の開口を大きく開放することができると共に蓋本体は強く開蓋されても破壊のおそれはない。
【００１２】
また、蓋本体はスライドヒンジの２つのヒンジ部に配されるばね部材の弾性付勢部の勢力によりロック解除後に自動的に開蓋動作される。またばね部材はスライドヒンジの２つのヒンジ部に対応するばね付勢部を一体に連結することによりヒンジホルダへの組付けが簡単化される。
【００１３】
さらに、ヒンジホルダに係合部を形成することによりスライドヒンジの摺動動作においてクリック感が生じ、操作性が良好になり、また蓋本体の係止状態を感触により確認できる。
【００１４】
【発明の実施の形態】
以下、本発明の実施の形態を図１〜図１４を参照して説明する。
【００１５】
この実施の形態は、本発明に係る電子機器用蓋開閉装置を、電子機器として電子スチルカメラとしてのビデオスチルカメラを用い、このビデオスチルカメラの記録媒体としてのメモリスティックの収納部の蓋に適用したものである。
【００１６】
図１２は、この実施の形態のビデオスチルカメラの背面側斜視図、図１３は、正面図、図１４は左側面図である。
【００１７】
この図１２〜図１４に示すように、ビデオスチルカメラ１１は、カメラ本体１２の上部に撮影部１３を前後方向に回転可能に取付けて構成されている。カメラ本体１２には、記録再生装置が内蔵されて記録媒体であるメモリスティック（ソニー株式会社の登録商標）Ｍｓが出し入れ可能に収納され、後面側のほぼ中央部に画像表示部４が配設されており、また、撮影部３にはレンズユニット１５とストロボユニット１６が横方向に所要間隔を於いて配置されている。
【００１８】
このように構成されるビデオスチルカメラ１１のカメラ本体１２は、外筐２１が前面パネル２２と後面パネル２３とを合体して形成される。この外筐２１の上部に凹部２１ａを形成し、また、後面パネル２３の後面部のほぼ中央部には、画像表示部１４の画面の表示窓２３ｂが形成されている。このように形成されるカメラ本体１２は、外筐２１内に記録再生装置および画像表示部１４が内蔵され、この外筐２１の凹部２１ａに撮影部１３が前後方向に回転可能に取付けられている。
【００１９】
この撮影部１３は、外筐３１がカメラ本体１２の外筐２１の幅とほぼ同幅で前側キャビネット３２と後側キャビネット３３を合体して形成され、この外筐３１の両側部に円筒状軸部が一体に形成されている。この外筐３１の円筒状軸部は、前後側のキャビネット３２と３３の各々の両側部に一体に突出形成した半筒状突部を突き合せることにより形成され、カメラ本体１２の外筐２１の凹部２１ａの両内面部に形成された軸受孔に嵌挿されて外筐３１はカメラ本体１２の外筐２１に対してその凹部２１ａ内において前後方向に回転可能に支持される。
【００２０】
この撮影部１３の外筐３１内にホルダを嵌合固定してレンズユニット１５とストロボユニット１６を取付けることにより撮影部１３を構成している。
【００２１】
そして、このように撮影部１３を取付けたカメラ本体１２の外筐２１には、内蔵されている記録再生装置に記録媒体としてのメモリスティックＭｓを装填するための挿入口２５が底面部２１ｂ側の一方の角部に位置して形成されており、この挿入口２５を開閉するために本発明による蓋開閉装置が備えられている。
【００２２】
すなわち、カメラ本体１２の外筐２１には、底面部２１ｂ側の左角部において前面パネル２２と後面パネル２３の底面部２２ａと２３ａに跨って挿入口２５が形成されている。そして、この挿入口２５を開閉する一例の蓋開閉装置４０が外筐２１の底面部２１ｂ側の左角部に配設されている。
【００２３】
この蓋開閉装置４０は、図１〜図３に示すように、外筐２１の底面部２１ｂ側の左角部において、底面側から左側面側の下部にかけて両面と同一面状に対応し、挿入口２５を閉蓋する蓋本体４１と、この蓋本体４１の底面部４１ａの端部中央に形成された軸受け４１ｂに軸ピン４２により支持される第１のヒンジ部４３ａとこの第１のヒンジ部４３ａと所要間で平行する第２のヒンジ部４３ｂが設けられたスライドヒンジ４３と、外筐２１の底面部２１ｂの内面側に配設されて底面部との間にスライドヒンジ４３のヒンジホルダ４４を形成する押え板４５と、スライドヒンジ４３の第１および第２のヒンジ部４３ａおよび４３ｂに巻装され蓋本体４１をスライドヒンジ４３に対して外方へ回転付勢し、また、スライドヒンジ４３をヒンジホルダ４４に対し外方へ回転付勢するばね部材４６とから構成されている。
【００２４】
このように構成される蓋開閉装置４０の蓋本体４１は、カメラ本体１２の外筐２１の底面左側角部において、底面部２１ｂ側から左側面側にかけて形成された切欠け開口２１ｃに対応するように底面部４１ａと側面部４１ｃとにより断面略Ｌ字状に形成され、底面部４１ａは後半部が幅狭に形成されて、この端縁部の中央部に筒状の軸受け４１ｂが形成され、この両端外周面には蓋本体４１の回転動作の際、押え板４５に摺接する突子４１ｄが形成されており、蓋本体４１の回転が円滑に行えるようになっている。
【００２５】
また、蓋本体４１の底面部４１ａの前半部と側面部４１ｂの後縁側には、外筐２１の後面側の角部、すなわち、後面パネル２３の後面部の下端側左角部に、メモリスティックＭs の排出操作釦１８を操作するために切欠状に形成された操作部２１ｃ1 に対応する閉塞部４１ｅが形成されている。
【００２６】
また、スライドヒンジ４３は、第１のヒンジ部４３ａを円筒状に形成して、この第１のヒンジ部４３ａに蓋本体４１の軸受け４１ｂが軸方向に連通して嵌挿される切欠け開口４３ａ１とばね部材４６の後述する一方のコイル部が嵌挿される切欠け凹部４３ａ２を形成してある。また、第２のヒンジ部４３ｂは円柱状で両端軸部４３ｂ１，４３ｂ２がスライドヒンジ４３の平面部４３ｃ両端面から突出され、中央部にはばね部材４６の後述する他方のコイル部が挿入される凹部４３ｂ３がコイル部の長さのほぼ２倍の幅で形成されて一方の内側部にコイル部が嵌挿される軸突子４３ｂ４が軸方向に突出されており、平面部４３ｃには押え板４５に設けられたガイドリブに係合する溝状部が形成されている。
【００２７】
そして、この第１のヒンジ部４３ａと第２のヒンジ部４３ｂの間の偏平間隔部である平面部４３ｃは、外筐２１の底面部の厚み寸法と蓋本体４１の厚み寸法を加えた寸法とほぼ等しいか、やや大の幅寸法で形成されており、この平面部４３ｃの押え板４５と対面する内面側に第２のヒンジ部４３ｂのほぼ中央に対応して凹部４３ｃ1 を形成してある（図４参照）。
【００２８】
また、押え板４５は、スライドヒンジ４３の摺接側面の外端部両側にスライドヒンジ４３の第２のヒンジ部４３ｂの両端軸部４３ｂ1 ，４３ｂ2 が係合される係合突部４５ａ，４５ｂを突出形成し、また、内端部側には、スライドヒンジ４３の第２のヒンジ部４３ｂが係合する係合突縁部４５ｃを形成してあり、この係合突縁４５ｃの前方向側に、この係合突縁４５ｃとによりスライドヒンジ４３の第２のヒンジ部４３ｂを保持する突部４５ｄが断面凸円弧状に突出形成されている。
【００２９】
また、ばね部材４６は、弾性付勢部として２つのコイル部４６ａと４６ｂを有するトーションスプリングでスライドヒンジ４３に、第１のコイル部４６ａを第１のヒンジ部４３ａの切欠け凹部４３ａ2 に嵌挿し、第２のコイル部４６ｂを第２のヒンジ部４３ｂの凹部４３ｂ3 の軸突子４３ｂ4 に挿入軸支すると共に、この第１と第２のコイル部４６ａと４６ｂとの連結アーム部４６ｃをスライドヒンジ４３の平面部４３ｃに当接して配置する。そして、このばね部材４６の第１のコイル部４６ａ側のアーム部４６ｄを蓋本体４１の内面側に弾性的に当接させ、また第２のコイル部４６ｂ側のアーム部４６ｅをスライドホルダ４４の内面側であるスライドヒンジ４３と対向する外筐２１の底面部２１ｂの内面側に弾性的に当接させるようにしてある。
【００３０】
以上のように、蓋開閉装置４０の各部材が形成され、この各部材により蓋開閉装置４０が組立てられる。すなわち、蓋本体４１の軸受け４１ｂをスライドヒンジ部４３の第１のヒンジ部４３ａの切欠け開口４３ａ1 に嵌挿してこの軸受け４１ｃと第１のヒンジ部４３ａの互いの軸孔を連通させて軸ピン４２を挿通させる。この軸ピン４２は第１のヒンジ部４３ａの切欠け凹部４３ａ2 においてばね部材４６の第１のコイル部４６ａにも挿通して蓋本体４１とスライドヒンジ４３とを互いに回転可能に軸連結する。この状態でばね部材４６の連結アーム部４６ｃはスライドヒンジ４３の平面部４３ｃに弾性的に当接し、第１のアーム部４６ｄは蓋本体４１の内面側に弾性的に当接して蓋本体４１とスライドヒンジ４３とは互いに回転付勢される。
【００３１】
そして、スライドヒンジ４３は、押え板４５に内面側を対面させて、第２のヒンジ部４３ｂを押え板４５の係合突部４５ａ，４５ｂと係合突縁４５ｃとの間に位置させる。
【００３２】
この状態で押え板４５を外筐２１の底面部２１ｂの内面端に外端部を切欠け開口２１ｃに臨ませて固定することによりヒンジホルダ４４を形成する。この状態でばね部材４６の第２のアーム部４６ｅは外筐２１の底面部２１ｂの内面側に弾性的に当接される。
【００３３】
以上のように、組立て構成された蓋開閉装置４０は、図４に示すように蓋本体４１が外筐２１の切欠け開口２１ｃに嵌合されて先端部内面側、すなわち、側面部４１ｃの端部内面側の係合突子４１ｃ1 が外筐２１側の係合部２１ｄに外側から係合されてメモリスティックＭs の挿入口２５を閉塞している状態では、スライドヒンジ４３は、ヒンジホルダ４４の奥部、すなわち、押え板４５の内端側に摺動位置されて図８に示すように第２のヒンジ部４３ｂが凹部４３ｃ1 に相対する部分において押え板４５側の係合突縁４５ｃと突部４５ｄの間に嵌合されて保持されている。
【００３４】
この蓋本体４１による挿入口２５の閉塞状態から開放するには、図５及び図９に示すように蓋本体４１を外筐２１の底面部２１ｄに沿って平行に外方へ押し出すと、スライドヒンジ４３も第２のヒンジ部４３ｂが押え板１５側の突部１５ｄを乗り越えて蓋本体４１と一体的に摺動し、蓋本体４１の先端部内面側の係合突子４１ｃ1 が外筐２１側の係合部２１ｂから離脱されて係合が解除されると共にスライドヒンジ４３は図９に示すように第２のヒンジ４３ｂの両端軸部４３ｂ1 ，４３ｂ2 が押え板１５の外端側係合突部１５ａ，１５ｂに係合して係止される。
【００３５】
この状態で蓋本体４１の押圧を解除すると、蓋本体４１は、図６及び図１０に示すように、スライドヒンジ４３と一体的にスライドヒンジ４３の第２のヒンジ部４３ｂを中心として、ばね部材４６の第２のコイル部４６ｂのねじり弾力により垂直方向に回転してスライドヒンジ４３の平面部４３ｃが外筐２１の切欠け開口２１ｃの底面側端面に当接して略直角位置で係止される。この状態で蓋本体４１は図７及び図１１に示すようにスライドヒンジ４３の第１のヒンジ部４３ａを回転中心としてばね部材４６の第１のコイル部４６ａのねじり弾力により外方へ反転倒伏方向に回転される。
【００３６】
これにより、蓋本体４１は、図７及び図１１に示すように外筐２１の底面部２１ｂの外面側に反転して倒伏状に重ね合されて外筐２１の切欠け開口２１ｃは大きく完全に開放されてメモリスティックＭs の挿入口２５は露出開放される。
【００３７】
また、蓋本体４１を開放状態から閉じるには、蓋本体４１を起す方向に押すとスライドヒンジ４３が蓋本体４１と一体的に第２のヒンジ部４３ｂを中心にばね部材４６の第２のコイル部４６ｂのねじり弾力に抗して倒伏回転され、押え板４５と平行に位置され、この状態で蓋本体４１をさらに押すと、蓋本体４１はスライドヒンジ４３の第１のヒンジ部４３ａを中心にばね部材４６の第１のコイル部４６ａのねじり弾力に抗して外筐２１の切欠け開口２１ａ側へ反転倒伏される。この際の蓋本体３１の回転動作は、蓋本体４１の後端部の軸受け４１ｂの外周に形成した突子４１ｄが押え板４５の平面部に当接することにより円滑に行われる。
【００３８】
そして、蓋本体４１を外筐２１の底面部２１ｂと同一面状に回転倒伏した状態で切欠け開口２１ｃに平行に押し込むと、スライドヒンジ４３は、ヒンジホルダ４４の内方、すなわち、押え板４５の板面に沿って後方へ摺動して、第２のヒンジ部４３ｂの中央部が押え板４５側の突部４５ｄを乗り越えて後端部の係合突縁４５ｃとの間に嵌合されて保持されると共に、蓋本体４１は、先端部内面側の係合突子４１ｂが外筐２１側の係合部２１ｄに外側から係合さて外筐２１に対してロックされ切欠け開口２１ｃが閉口され、図４及び図８に示すように挿入口２５が閉塞される。
【００３９】
以上のように、この実施の形態においては、蓋開閉装置４０の蓋本体４１は、互いに平行する第１と第２のヒンジ部４３ａと４３ｂを形成したスライドヒンジ４３を備え、外筐２１に対してスライドヒンジ４３の２つのヒンジ部４３ａ，４３ｂにおいて回転して開閉動作されるようにしたことにより、開放動作は反転状態で行われ、外筐２１の開口２１ａを大きく開放することができる。そして、スライドヒンジ４３の第１、第２のヒンジ部４３ａ，４３ｂにばね部材４６を装着したことによって、蓋本体４１の開放動作は、ばね部材４６の第１と第２のコイル部４６ａと４６ｂのねじり弾力により、蓋本体４１の係合解除後、自動的に行われ、蓋本体４１は、外筐２１の開口２１ｃを開放した状態で保持される。
【００４０】
また、スライドヒンジ４３の第１と第２のヒンジ部４３ａと４３ｂに配設するばね部材４６としてのトーションスプリングは第１のヒンジ部４３ａに装着する第１のコイル部４６ａと第２のヒンジ部４３ｂに装着する第２のコイル部４６ｂとを一本の線材により間隔を置いていわゆるめがね状に一体に形成したことにより、構造が簡単であると共にスライドヒンジ４３への組付けも簡単に行える。
【００４１】
また、この実施の形態の蓋開閉装置４０において、スライドヒンジ４３にはばね部材４６を装着しない構成とすることができ、この場合は、蓋本体４１の開閉操作を全て手動により行うことになる。すなわち、蓋本体４１の開放操作は、蓋本体４１を外筐２１の底面部２１ｂと平行に押し出した状態で、この蓋本体４１と一体的に摺動されるスライドヒンジ４３に対して第１のヒンジ部４３ａを中心として垂直方向に起立回転させると共に後方へ押すことにより、スライドヒンジ４３が第２のヒンジ部４３ｂを中心として起立回転し、蓋本体４１は外筐２１の底面部２１ｂの外面上に倒伏して重ね合されることになって外筐２１の開口２１ａは大きく開放される。
【００４２】
また、蓋本体４１を開放状態から閉じる場合は、前述と同じ操作により外筐２１の切欠け開口２１ｃを閉じることができる。この場合、蓋本体４１はスライドヒンジ４３にばね部材４６を装着しないため蓋本体４１の閉じ操作を円滑に行うことができる。
【００４３】
以上、本発明の実施の形態を説明したが本発明はこの実施の形態に限定されるものではなく、本発明の趣旨を逸脱しない範囲で種々変更できるものである。
【００４４】
例えば、蓋本体の形状等は閉塞する開口の形状に合せて任意に変更できるものであり、また、スライドヒンジの形状、構造等も任意に変更でき、２つの互いに平行するヒンジ部を有する構成であればよい。
【００４５】
そして、前述した実施の形態は、２つの互いに平行する第１と第２ヒンジ部を有するスライドヒンジは外筐側に摺動可能に備え、この一方のヒンジ部である第１のヒンジ部に蓋本体を軸支して構成されているが、スライドヒンジを蓋本体側に摺動可能に備え、この一方のヒンジ部、すなわち、第１又は第２のヒンジ部を外筐側に軸支して構成してもよく、この場合も蓋本体は外筐に対して反転して開放できることになる。また、この場合は、蓋本体の内面側に前述の実施の形態と同様の押え板を取付けてスライドヒンジを保持するヒンジホルダを形成することになるが、この場合例えば電池ケースの場合は、押え板の内面側を接点端子板として構成できる。
【００４６】
なお、本発明による蓋開閉装置は、ビデオスチルカメラのメモリティック収納部、電池収納部等の電子機器における物品収納部の開閉蓋のみに適用されるものではなく、各種機器および各種収納箱等の開閉蓋に適用できるものである。
【００４７】
【発明の効果】
以上のように本発明による蓋開閉装置は、筐体に設けられた開口を開閉する蓋本体と、筐体と蓋本体との間に互いに介装され、所要間隔で互いに平行する２つヒンジ部を有するスライドヒンジとを有し、このスライドヒンジを蓋本体と筐体の何れか一方側に一方のヒンジ部において軸着すると共に他方側に摺動かつ回動可能に保持させて構成し、蓋本体が筐体に対し、スライドヒンジの摺動により２つのヒンジ部における回転により２段階的に回転されて反転状態で筐体の外面側に重なるように開蓋されるように構成したことにより、筐体の開口はほぼ完全に開放されて挿入物の出し入れが容易に行えると共に、蓋本体が開放状態で不用意に押圧されても破壊されるおそれはなく、従って蓋本体は強度が大の板金等により形成する必要がなくコストの低減化が可能になり、また、軸受け構造も簡単化され、省スペースで設計の自由度が増大する。
【００４８】
そして、スライドヒンジの２つのヒンジ部に蓋本体を開蓋方向に付勢するばね部材を配することにより、蓋本体の開放動作が自動的に行えると共に蓋本体は完全に開放された状態で保持されるので開口に対する挿入物の出し入れが片手で容易に行うことができる。また、このばね部材は、スライドヒンジの２つのヒンジ部にそれぞれ対応するばね付勢部を有し、このばね付勢部の端部間を連結して一体に形成することにより、スライドヒンジへの組付けが簡単化されて作業性が向上すると共にばね部材自体の製造管理も容易になる。
【００４９】
さらに、スライドヒンジを摺動可能に保持するヒンジホルダにスライドヒンジがクリック状に係合される係合部を形成することにより、蓋本体の開閉操作時のスライドヒンジの摺動動作においてクリック感が生じ、操作性が良好になると共に蓋本体の係止状態を感触により確認できて使用勝手が向上する。
【図面の簡単な説明】
【図１】本発明による電子機器用蓋開閉装置の一例の分解斜視図である。
【図２】図１に示す蓋開閉装置の蓋部分の分解斜視図である。
【図３】図１に示す蓋開閉装置の開放状態を示す斜視図で、Ａは閉じた状態、Ｂは開閉中間状態、Ｃは開放した状態を示す。
【図４】図１に示す蓋開閉装置の閉じた状態の一側部の拡大断面図である。
【図５】同、開放開始状態の拡大断面図である。
【図６】同、開放中間状態の拡大断面図である。
【図７】同開放完了状態の拡大断面図である。
【図８】図１に示す蓋開閉装置の閉じた状態の中央縦断面図である。
【図９】同、開放開始状態の拡大中央縦断面図である。
【図１０】同、開放中間状態の拡大中央縦断面図である。
【図１１】同、開放完了状態の拡大中央縦断面図である。
【図１２】本発明による電子機器用蓋開閉装置を適用したビデオスチルカメラの一例の斜視図である。
【図１３】図１２に示すビデオスチルカメラの正面図である。
【図１４】図１２に示すビデオスチルカメラの左側面図である。
【図１５】従来の電子機器用蓋開閉装置の蓋を開放した状態の斜視図である。
【図１６】同、蓋を閉じた状態の斜視図である。
【符号の説明】
２１‥‥カメラ本体外筐、２１ｂ‥‥底面部、２１ｃ‥‥切欠け開口、２５‥‥挿入口、４０‥‥蓋開閉装置、４１‥‥蓋本体、４２‥‥軸ピン、４３‥‥スライドヒンジ、４３ａ，４３ｂ‥‥ヒンジ部、４４‥‥ヒンジホルダ、４５‥‥押え板、４５ａ，４５ｂ‥‥係合突部、４５ｄ‥‥突部、４６‥‥ばね部材、４６ａ，４６ｂ‥‥コイル部、４６ｃ‥‥連結アーム部、４６ｄ，４６ｅ‥‥アーム部
【図１】
0004026260.tif 000002
【図２】
0004026260.tif 000003
【図３】
0004026260.tif 000004
【図４】
0004026260.tif 000005
【図５】
0004026260.tif 000006
【図６】
0004026260.tif 000007
【図７】
0004026260.tif 000008
【図８】
0004026260.tif 000009
【図９】
0004026260.tif 000010
【図１０】
0004026260.tif 000011
【図１１】
0004026260.tif 000012
【図１２】
0004026260.tif 000013
【図１３】
0004026260.tif 000014
【図１４】
0004026260.tif 000015
【図１５】
0004026260.tif 000016
【図１６】
0004026260.tif 000017